(57)【要約】【課題】蒸気井からの水の混入または汽水分離器の不調による蒸気タービンへの水の混入の可能性を早期に検知して、蒸気タービンを安全停止するなどの対策を可能とする。【解決手段】汽水分離器１と、汽水分離器１で分離された蒸気によって駆動される蒸気タービン４と、蒸気タービン４によって駆動される発電機５と、蒸気タービン４に供給される蒸気の温度を検出する温度検出器６と、蒸気タービン４に供給される蒸気の圧力を検出する圧力検出器６と、発電機の出力を検出する発電検出器４０と、温度検出器の出力と圧力検出器の出力と発電検出器の出力とに基づいて、蒸気タービン４に供給される蒸気の状態が適正かどうかを判定する判定手段７と、を有する。蒸気圧力の検出値に代えて蒸気流量の検出値を用いてもよい。【選択図】図１
2007285199.tif 000002
【特許請求の範囲】
【請求項１】
地熱によって発生した温水と蒸気との混合流体を蒸気と温水とに分離する汽水分離器と、
前記汽水分離器で分離された蒸気によって駆動される蒸気タービンと、
前記蒸気タービンによって駆動される発電機と、
前記蒸気タービンに供給される蒸気の温度を検出する温度検出器と、
前記蒸気タービンに供給される蒸気の圧力を検出する圧力検出器と、
前記発電機の出力を検出する発電検出器と、
前記温度検出器の出力と圧力検出器の出力と発電検出器の出力とに基づいて、前記蒸気タービンに供給される蒸気の状態が適正かどうかを判定する判定手段と、
を有することを特徴とする地熱発電装置。
【請求項２】
地熱によって発生した温水と蒸気との混合流体を蒸気と温水とに分離する汽水分離器と、
前記汽水分離器で分離された蒸気によって駆動される蒸気タービンと、
前記蒸気タービンによって駆動される発電機と、
前記蒸気タービンに供給される蒸気の温度を検出する温度検出器と、
前記蒸気タービンに供給される蒸気の流量を検出する流量検出器と、
前記発電機の出力を検出する発電検出器と、
前記温度検出器の出力と流量検出器の出力と発電検出器の出力とに基づいて、前記蒸気タービンに供給される蒸気の状態が適正かどうかを判定する判定手段と、
を有することを特徴とする地熱発電装置。
【請求項３】
前記判定手段により、前記蒸気タービンに供給される蒸気の状態が適正でないと判定された場合に、前記蒸気タービンへの蒸気供給を停止する手段をさらに有すること、を特徴とする請求項１または請求項２に記載の地熱発電装置。
【請求項４】
前記判定手段により、前記蒸気タービンに供給される蒸気の状態が適正でないと判定された場合に、前記蒸気タービンへの蒸気供給量を増やすための補助加熱手段をさらに有すること、を特徴とする請求項１または請求項２に記載の地熱発電装置。
【請求項５】
地熱によって発生した温水と蒸気との混合流体を蒸気と温水とに分離する汽水分離器と、前記汽水分離器で分離された蒸気によって駆動される蒸気タービンと、前記蒸気タービンによって駆動される発電機と、を有する地熱発電装置を監視・制御するための地熱発電監視制御装置であって、
前記蒸気タービンに供給される蒸気の温度を検出する温度検出器と、
前記蒸気タービンに供給される蒸気の圧力を検出する圧力検出器と、
前記発電機の出力を検出する発電検出器と、
前記温度検出器の出力と圧力検出器の出力と発電検出器の出力とに基づいて、前記蒸気タービンに供給される蒸気の状態が適正かどうかを判定する判定手段と、
を有することを特徴とする地熱発電監視制御装置。
【請求項６】
地熱によって発生した温水と蒸気との混合流体を蒸気と温水とに分離する汽水分離器と、前記汽水分離器で分離された蒸気によって駆動される蒸気タービンと、前記蒸気タービンによって駆動される発電機と、を有する地熱発電装置を監視・制御するための地熱発電監視制御装置であって、
前記蒸気タービンに供給される蒸気の温度を検出する温度検出器と、
前記蒸気タービンに供給される蒸気の流量を検出する流量検出器と、
前記発電機の出力を検出する発電検出器と、
前記温度検出器の出力と流量検出器の出力と発電検出器の出力とに基づいて、前記蒸気タービンに供給される蒸気の状態が適正かどうかを判定する判定手段と、
を有することを特徴とする地熱発電監視制御装置。
【請求項７】
地熱によって発生した温水と蒸気との混合流体を蒸気と温水とに分離する汽水分離器と、前記汽水分離器で分離された蒸気によって駆動される蒸気タービンと、前記蒸気タービンによって駆動される発電機と、を有する地熱発電装置を監視・制御する地熱発電監視制御方法であって、
前記蒸気タービンに供給される蒸気の温度を検出し、
前記蒸気タービンに供給される蒸気の圧力を検出し、
前記発電機の出力を検出し、
前記蒸気タービンに供給される蒸気の温度および圧力と前記発電機の出力とに基づいて、前記蒸気タービンに供給される蒸気の状態が適正かどうかを判定すること、
を特徴とする地熱発電監視制御方法。
【請求項８】
地熱によって発生した温水と蒸気との混合流体を蒸気と温水とに分離する汽水分離器と、前記汽水分離器で分離された蒸気によって駆動される蒸気タービンと、前記蒸気タービンによって駆動される発電機と、を有する地熱発電装置を監視・制御する地熱発電監視制御方法であって、
前記蒸気タービンに供給される蒸気の温度を検出し、
前記蒸気タービンに供給される蒸気の流量を検出し、
前記発電機の出力を検出し、
前記蒸気タービンに供給される蒸気の温度および流量と前記発電機の出力とに基づいて、前記蒸気タービンに供給される蒸気の状態が適正かどうかを判定すること、
を特徴とする地熱発電監視制御方法。
【発明の詳細な説明】
【技術分野】
【０００１】
この発明は、地熱によって発生した蒸気を利用する地熱発電装置とその制御監視装置ならびに制御監視方法に関する。
【背景技術】
【０００２】
従来の地熱発電所（たとえば特許文献１参照）では、プラントの出力が定格に近い状態、すなわち、主蒸気の温度・圧力・流量が安定している条件下で、ある一定のしきい値を設けて、その値を逸脱した場合に、警報告知あるいはプラントの安全停止を行なっている場合がある。
【０００３】
しかし、地熱発電所では、プラントの起動・停止はもちろんのこと、部分負荷で運転をする場合もあり、その状況下では、主蒸気の温度低下による蒸気タービンの保護機能は、複雑な設定値を設ける必要から適用されておらず、運転員が他のプロセス値などを総合的に判断し実施している。
【特許文献１】特開平７−３５０２７号公報
【発明の開示】
【発明が解決しようとする課題】
【０００４】
しかし、蒸気タービンへの水分の混入は、プラントの運転状態によらない外的要因（例えば蒸気井の異常や汽水分離器の異常など）でも起こりうる事象であることから、ユニットの起動・停止中あるいは部分負荷運転中にも発生しうる事象であり、運転員は常に監視し注意を払うことが求められ、運転員の監視操作の負担となっている。
【０００５】
また、地熱発電所に供給される蒸気は蒸気井から供給されるが、その蒸気井は必ずしも発電所近傍に位置するとは限らず、蒸気井と発電所の蒸気タービンを結ぶ蒸気管が長距離になるものもあり、プラントの蒸気使用量により供給蒸気の状態すなわち温度・圧力が変動する。そのため、運転員は、プラントの動的な状態に応じた主蒸気の適正値を高度な知識や経験に基づき判断する必要があった。
【０００６】
たとえば、プラントの定格出力時では、プラント状態が安定しており、供給される蒸気の状態（圧力・温度・流量）はある程度一定であり、一定値で主蒸気温度にしきい値を設け、蒸気供給側の異常兆候を捉えることは容易である。
【０００７】
しかし、プラントの起動・停止時や部分負荷運転時には、プラント側の蒸気使用量が変動しており、これによる蒸気タービン入口管内の蒸気状態も変動することから、この時に、上流側の汽水分離器の不調により蒸気に水分が混入し蒸気温度が低下しても、この蒸気温度の変化を汽水分離器の不調と捉えるか、プラント側の蒸気使用量の変動によるものと捉えるかは、難しい判断が必要となる。
【０００８】
したがって、運転員の高度な判断を補完、あるいは運転員に代わって行ない、その結果によりプラント処置を行なう装置が求められる。
【０００９】
この発明はかかる事情に鑑みてなされたものであって、地熱発電プラントが安全にかつ安定的に運転されるように、蒸気井からの供給蒸気の状態を蒸気タービン入口で監視し、蒸気井からの水の混入または汽水分離器の不調による蒸気タービンへの水の混入の可能性を早期に検知して、蒸気タービンを安全停止するなどの対策を可能とすることを目的とする。
【課題を解決するための手段】
【００１０】
この発明は上記目的を達成するものであって、一つの態様は、地熱によって発生した温水と蒸気との混合流体を蒸気と温水とに分離する汽水分離器と、前記汽水分離器で分離された蒸気によって駆動される蒸気タービンと、前記蒸気タービンによって駆動される発電機と、前記蒸気タービンに供給される蒸気の温度を検出する温度検出器と、前記蒸気タービンに供給される蒸気の圧力を検出する圧力検出器と、前記発電機の出力を検出する発電検出器と、前記温度検出器の出力と圧力検出器の出力と発電検出器の出力とに基づいて、前記蒸気タービンに供給される蒸気の状態が適正かどうかを判定する判定手段と、を有することを特徴とする地熱発電装置である。
【００１１】
またこの発明の他の一つの態様は、地熱によって発生した温水と蒸気との混合流体を蒸気と温水とに分離する汽水分離器と、前記汽水分離器で分離された蒸気によって駆動される蒸気タービンと、前記蒸気タービンによって駆動される発電機と、前記蒸気タービンに供給される蒸気の温度を検出する温度検出器と、前記蒸気タービンに供給される蒸気の流量を検出する流量検出器と、前記発電機の出力を検出する発電検出器と、前記温度検出器の出力と流量検出器の出力と発電検出器の出力とに基づいて、前記蒸気タービンに供給される蒸気の状態が適正かどうかを判定する判定手段と、を有することを特徴とする地熱発電装置である。
【００１２】
さらに、この発明の他の一つの態様は、地熱によって発生した温水と蒸気との混合流体を蒸気と温水とに分離する汽水分離器と、前記汽水分離器で分離された蒸気によって駆動される蒸気タービンと、前記蒸気タービンによって駆動される発電機と、を有する地熱発電装置を監視・制御するための地熱発電監視制御装置であって、前記蒸気タービンに供給される蒸気の温度を検出する温度検出器と、前記蒸気タービンに供給される蒸気の圧力を検出する圧力検出器と、前記発電機の出力を検出する発電検出器と、前記温度検出器の出力と圧力検出器の出力と発電検出器の出力とに基づいて、前記蒸気タービンに供給される蒸気の状態が適正かどうかを判定する判定手段と、を有することを特徴とする地熱発電監視制御装置である。
【００１３】
さらに、この発明の他の一つの態様は、地熱によって発生した温水と蒸気との混合流体を蒸気と温水とに分離する汽水分離器と、前記汽水分離器で分離された蒸気によって駆動される蒸気タービンと、前記蒸気タービンによって駆動される発電機と、を有する地熱発電装置を監視・制御するための地熱発電監視制御装置であって、前記蒸気タービンに供給される蒸気の温度を検出する温度検出器と、前記蒸気タービンに供給される蒸気の流量を検出する流量検出器と、前記発電機の出力を検出する発電検出器と、前記温度検出器の出力と流量検出器の出力と発電検出器の出力とに基づいて、前記蒸気タービンに供給される蒸気の状態が適正かどうかを判定する判定手段と、を有することを特徴とする地熱発電監視制御装置である。
【００１４】
さらに、この発明の他の一つの態様は、地熱によって発生した温水と蒸気との混合流体を蒸気と温水とに分離する汽水分離器と、前記汽水分離器で分離された蒸気によって駆動される蒸気タービンと、前記蒸気タービンによって駆動される発電機と、を有する地熱発電装置を監視・制御する地熱発電監視制御方法であって、前記蒸気タービンに供給される蒸気の温度を検出し、前記蒸気タービンに供給される蒸気の圧力を検出し、前記発電機の出力を検出し、前記蒸気タービンに供給される蒸気の温度および圧力と前記発電機の出力とに基づいて、前記蒸気タービンに供給される蒸気の状態が適正かどうかを判定すること、を特徴とする地熱発電監視制御方法である。
【００１５】
さらに、この発明の他の一つの態様は、地熱によって発生した温水と蒸気との混合流体を蒸気と温水とに分離する汽水分離器と、前記汽水分離器で分離された蒸気によって駆動される蒸気タービンと、前記蒸気タービンによって駆動される発電機と、を有する地熱発電装置を監視・制御する地熱発電監視制御方法であって、前記蒸気タービンに供給される蒸気の温度を検出し、前記蒸気タービンに供給される蒸気の流量を検出し、前記発電機の出力を検出し、前記蒸気タービンに供給される蒸気の温度および流量と前記発電機の出力とに基づいて、前記蒸気タービンに供給される蒸気の状態が適正かどうかを判定すること、を特徴とする地熱発電監視制御方法である。
【発明の効果】
【００１６】
この発明によれば、蒸気井からの水の混入または汽水分離器の不調による蒸気タービンへの水の混入の可能性を早期に検知して、蒸気タービンを安全停止するなどの対策が可能になる。
【発明を実施するための最良の形態】
【００１７】
以下に、図面を参照しながら本発明に係る地熱発電装置の実施形態について説明する。ここで、互いに同一または類似の部分には共通の符号を付して重複説明は省略する。
【００１８】
［第１の実施形態］
図１は、本発明に係る地熱発電装置の第１の実施形態を示す構成図であり、図２は、同実施形態の機能フロー図である。
【００１９】
図１で、蒸気井（図示せず）などから供給される蒸気は、プラントの入口にて汽水分離器１により、蒸気と水（ドレン）に分離され、蒸気のみが主蒸気止め弁２と蒸気加減弁３を通過し、蒸気タービン４に流入し、蒸気タービン４を回転駆動する。蒸気タービン４は発電機５と同軸に結合されているので、蒸気タービン４によって発電機５が回転駆動され、発電が行なわれる。主蒸気止め弁２は、蒸気タービン４の停止時あるは、緊急停止時に蒸気タービン４への流入蒸気を遮断する機能を有している。
【００２０】
主蒸気止め弁２の上流側で汽水分離器１の下流側に、蒸気の状態すなわち温度・圧力・流量を検出する検出器６が配置されている。検出器６にて計測された蒸気の状態値は、主蒸気温度低下監視装置７に入力され、リアルタイムで蒸気の温度・圧力・流量が監視され、蒸気の状態値が監視モニタ１０に表示され、運転員に監視情報が提供される。また、発電機５の発電機出力１２は発電検出器４０によって検出され、主蒸気温度低下監視装置７に入力される。
【００２１】
主蒸気温度低下監視装置７は、発電機出力１２などのプラントの運転プロセス量を入力し、それから導き出される主蒸気の適正値を演算し、計測値と適正値の比較を行なう。そして、必要により計測値と適正値との偏差量を監視モニタ１０に表示したり、計測値と適正値の偏差があるしきい値を逸脱した場合には警報メッセージを監視モニタ１０に表示したり、注意警報を警報告知装置１１に発信し、運転員へ注意情報を提供する。
【００２２】
運転員への情報提供は、監視モニタ１０あるいは警報告知装置１１で提供されるが、同様の情報は、スピーカを介して音声により提供したり、表示灯や発光ダイオード（ＬＥＤ）による点灯や電話回線や無線による携帯端末へのメッセージなど個々の発電所の運用や既存設備を用いても実施する。
【００２３】
主蒸気温度低下監視装置７では、計測値と適正値の偏差がさらに拡大し、蒸気タービンへの水の混入の可能性が予想されると、主蒸気温度低下保護装置８に保護要求信号を発信する。
【００２４】
主蒸気温度低下保護装置８は、入力した保護信号により蒸気タービンへの水の流入を防止すべく、主蒸気止め弁２や蒸気加減弁３を閉止する保護動作信号として出力する。さらに、プラントが安全に停止するために必要な動作を行なうために、他の各プロセスの制御装置や保護装置に同様の信号を出力する一方で、保護動作に至ったことを監視モニタ１０や警報告知装置１１に出力し、運転員に情報提供する。
【００２５】
なお、上述の主蒸気温度低下監視装置７と主蒸気温度低下保護装置８は、機能上の役割分担の概念を説明する上で個別に記述したが、ハードウェアやソフトウェアの機能、コスト的な諸条件により、統合された１つの装置として、主蒸気温度低下監視保護装置９であってもよい。
【００２６】
次に、主蒸気温度低下監視保護装置９の機能を、図２の機能フロー図を参照しながら説明する。
【００２７】
図１に示す検出器６には主蒸気温度検出器、主蒸気圧力検出器、主蒸気流量検出器が含まれ、主蒸気の状態の実測値には、これらの検出器の出力である主蒸気温度６ａ、主蒸気圧力６ｂ、主蒸気流量６ｃが含まれる。
【００２８】
プラントの出力は、蒸気タービンに流入する蒸気エネルギー量にて定まるため、発電機出力１２あるいはガバナ設定値から導く発電量と主蒸気の状態の関係が概略で下記の計算が成り立つ。
【００２９】
Ｌ＝Ｇｔ×Ｉｔ／Ｋｔ
ここで、Ｌは発電機出力、Ｇｔは主蒸気流量、Ｉｔは主蒸気エンタルピ、Ｋｔは熱消費率を表わす。
【００３０】
よって、主蒸気エンタルピ（Ｉｔ）と発電機出力（Ｌ）の関係は、下記の式が成り立つ。
【００３１】
Ｉｔ＝Ｌ×Ｋｔ／Ｇｔ
熱消費率（Ｋｔ）は、プラントの損失や各発電出力時の特性により可変となるが、この値は過去の運転実績から算出可能である。また、主蒸気のエンタルピ（Ｉｔ）は、主蒸気温度（ＭＳｔ）と主蒸気圧力（ＭＳｐ）により導き出せるので、Ｉｔ＝ｆ（ＭＳｔ，ＭＳｐ）と表現すると、主蒸気圧力（ＭＳｐ）と主蒸気流量（Ｇｔ）と発電機出力（Ｌ）を計測することで、その時のプラントの運転状態におけるあるべき主蒸気温度（ＭＳｔ）が算出可能である。
【００３２】
すなわち、発電機出力１２と主蒸気圧力６ｂと主蒸気流量６ｃを計測し、主蒸気温度算出回路２０によって、演算上の主蒸気温度算出値２１を算出する。
【００３３】
計測された主蒸気温度６ａは、検出器の設置状況により、外気温度１３の影響を受ける可能性があるために、外気温度１３を計測し、前述で得られた主蒸気温度算出値２１に加算器２２を配して、外気温度１３による検出器の計測誤差を補正する回路を設けて、外気温度１３による補正を行なう。
【００３４】
前述で得られた主蒸気温度算出値２３と実測で得られている主蒸気温度６ａの値とを減算器２４に入力し、主蒸気温度偏差２５を求める。この値は、実際に得られた主蒸気温度の計測値とプラントの運転状態すなわち現在出力から計算上求めた主蒸気温度算出値２３との差に当たるので、この差が大きくなった場合には、主蒸気温度６ａの計測値に何らかの異常を来していることとなる。
【００３５】
したがって、主蒸気温度偏差２５を警報用警報設定器２６と第１の比較器２７により注意警報用しきい値を設定する回路を設けて、あるしきい値以上になった場合には、警報信号３１を出力し、運転員への注意喚起を促す。
【００３６】
また、さらに主蒸気温度偏差２５が拡大し、プラント停止の必要性が増した場合には、同様に保護用警報設定器２８と第２の比較器２９により保護用のしきい値を設定する回路を設けておき、あるしきい値以上になった場合には、保護用信号３２を出力し、プラント緊急停止として活用する。
【００３７】
なお、以上の機能フローの記述は、基本的な概念を説明したものであり、検出器は、計器の信頼性を考慮して多重化を図ることもあり得る。さらに、プラントの効率すなわち熱消費率（Ｋｔ）は、外気温度や気圧あるいは復水器（図示しないタービンから出た蒸気が導入される機器）真空度によっても変わることから、主蒸気温度算出値２１の精度を上げるために、主蒸気温度算出回路２０での算出プロセスに、これらの各種補正回路を追加することもあり得る。また、その実現方法が電子部品によるバードウェアによる回路であっても、ＩＣ素子に内蔵し記憶された演算プログラムでもよい。
【００３８】
以上述べたように、本実施形態によれば、仮に蒸気タービンに流入する蒸気が何らかの異常により、ドレンを含む蒸気となって蒸気タービンへ流入することになっても、タービン入口に配置する主蒸気温度計測にて温度低下を捉えて、速やかに蒸気タービンへの蒸気供給を遮断し、プラントを安全停止することができる。
【００３９】
また、上記の事態に至る以前に、主蒸気温度の異常の兆候に至ったことを運転員に提供し、復旧措置や回避操作を促し、そのための時間的な猶予を提供する。
【００４０】
さらには、通常のプラント起動・停止過程においても、従来は運転員が常時主蒸気温度の状態を監視する必要があったが、その労力を軽減し、他のプロセスの操作や監視に注力し、安全な運転に寄与する。
【００４１】
［第２の実施形態］
次に、図３を参照しながら、本発明に係る地熱発電装置の第２の実施形態について説明する。ここで、第１の実施形態と互いに同一または類似の部分には共通の符号を付して重複説明は省略する。
【００４２】
上記第１の実施形態（図１、図２）は、既存の国内地熱発電所の設備に適用する代表的な構成であり、かつ、異常時のプラントの安全停止に重点をおいているが、第２の実施形態は、第１の実施形態の装置をさらに積極的に活用し、他の設備と組み合わせたものである。
【００４３】
蒸気井からの蒸気は、汽水分離器で蒸気と水に分離されるが、蒸気井から供給される蒸気自体が圧力・温度ともに低下すると、汽水分離器で分離した後の供給蒸気量は少なくなる。あるいは、エネルギー政策の観点からは、二酸化炭素の排出を削減する上で、自然エネルギーの利用拡大を図ることが必要となり、従来は蒸気条件や発生量の点で未利用であった蒸気井での発電を行なうことも考えられる。
【００４４】
そこで、この実施形態では、汽水分離器の上流または下流に蒸気加熱器を設けて、蒸気量を人為的に増加させる設備を設けて、その設備の制御に主蒸気温度低下監視保護装置の機能を利用する。
【００４５】
従来の地熱発電プラントでは、蒸気井などの主蒸気発生源からの蒸気の温度または圧力が低下した場合は、同じ蒸気流量であっても、蒸気タービンに流入する熱エネルギーは減少するから、蒸気タービンは必要な発電機出力を得ようと、さらに蒸気加減弁を開して、主蒸気流量を増加させようと動作する。それにより、蒸気タービンの入口蒸気圧力はさらに低下し、最終的には、要求する発電量を得るまでの蒸気エネルギーが不足し、発電出力が低下してしまう。
【００４６】
この作用を回避するために、この実施形態では、主蒸気温度または圧力の低下量分を蒸気加熱器１５により補い、必要な主蒸気を得るための設備を配置する。
【００４７】
主蒸気温度低下監視保護装置９で主蒸気温度と圧力を計測・監視し、蒸気温度または蒸気圧力の低下を確認した場合には、発電機出力１２から算出した本来あるべき主蒸気圧力・主蒸気温度と各計測値との偏差分から蒸気加熱器１５で補充すべき蒸気量を演算する。そして、この演算結果を受信した燃料制御装置１８は、蒸気加熱器１５への燃料注入分として燃料調節弁１７に出力し、バーナ１６で発生させる熱エネルギーを制御し、必要な蒸気量を得る燃料制御機能を備える。
【００４８】
既存の蒸気井は、長年の使用により蒸気供給量は減少し、蒸気条件も低下する。新たな蒸気井を掘削するには膨大な費用が発生するし、自然エネルギー利用の観点からは蒸気条件の低下した蒸気井であっても、有効に利用すべきエネルギー供給源である。
【００４９】
さらに、今後の自然エネルギー利用の促進には、得られる蒸気量や蒸気条件を含む発電所の立地条件に関係する制約を打開する必要があり、本実施形態は、蒸気条件に関する制約を軽減するものである。
【図面の簡単な説明】
【００５０】
【図１】本発明に係る地熱発電装置の第１の実施形態の構成を示すブロック図。
【図２】図１の主蒸気温度低下監視保護装置の機能を示す機能フロー図。
【図３】本発明に係る地熱発電装置の第２の実施形態の構成を示すブロック図。
【符号の説明】
【００５１】
１…汽水分離器、２…主蒸気止め弁、３…蒸気加減弁、４…蒸気タービン、５…発電機、６…検出器、６ａ…主蒸気温度、６ｂ…主蒸気圧力、６ｃ…主蒸気流量、７…主蒸気温度低下監視装置、８…主蒸気温度低下保護装置、９…主蒸気温度低下監視保護装置、１０…監視モニタ、１１…警報告知装置、１２…発電機出力、１３…外気温度、１５…蒸気加熱器、１６…バーナ、１７…燃料調節弁、１８…燃料制御装置、２０…主蒸気温度算出回路、２１…主蒸気温度算出値、２２…加算器、２３…主蒸気温度算出値、２４…減算器、２５…主蒸気温度偏差値、２６…警報用警報設定器、２７…第１の比較器、２８…保護用警報設定器、２９…第２の比較器、３１…警報信号、３２…保護信号
【図１】
2007285199.tif 000003
【図２】
2007285199.tif 000004
【図３】
2007285199.tif 000005